(57)【要約】【課題】引合条件とタイムテーブルに基づいてＣＭの時間取りを短時間で行う。【解決手段】ステップＳ１において引合条件を入力し、ステップＳ２において平日、土曜、日曜に分けて時間取パターンに合う枠をチェックし、ステップＳ３において、ランク別に平日、土日の本数を決定し、ステップＳ４において乱数を使い作案作業をランク別に行う。ステップＳ５において合計ＧＲＰが引合条件のＧＲＰと約５％ほどのずれと判定されるまで、ステップＳ６におけるランクＡから順に改案作業を繰り返し行い、約５％ほどのずれと判定されたとき、ステップＳ７に進み、前後の番組を使って微調節し、ステップＳ８において合計ＧＲＰが引合条件のＧＲＰと同じになるまで、ステップＳ７、Ｓ８の処理を繰り返し実行する。【選択図】      図１
2004193701.tif 000002
【特許請求の範囲】
【請求項１】
引合条件を入力する入力手段と、
前記入力手段によって入力された前記引合条件を記憶する第１の記憶手段と、
タイムテーブルを記憶する第２の記憶手段と、
前記第１の記憶手段によって記憶されている前記引合条件と、前記第２の記憶手段によって記憶されている前記タイムテーブルに基づいて、作案を行う作案手段と、
前記作案手段による作案結果を改案する改案手段と、
前記改案手段による改案結果を微調節する微調節手段と
を備えることを特徴とする自動作案システム。
【請求項２】
前記引合条件は、累積視聴率と、ランク別本数と、時間取パターンからなり、前記タイムテーブルは、各番組の開始時刻および終了時刻と、各番組毎の番組開始時の視聴率である番組開始視聴率と、番組視聴率とを含む
ことを特徴とする請求項１に記載の自動作案システム。
【請求項３】
前記作案手段は、曜日毎に、前記時間取パターンに一致する枠を検索し、ランク別に、平日の第１の本数と、土日の第２の本数をそれぞれ決定し、乱数を用いて平日の番組を前記第１の本数分だけ選択し、土日の番組を前記第２の本数分だけ選択する
ことを特徴とする請求項１または２に記載の自動作案システム。
【請求項４】
前記改案手段は、前記作案手段によって選択された各番組の番組視聴率を加算して累積視聴率を算出し、前記引合条件に含まれる累積視聴率を比較し、前記引合条件に含まれる累積視聴率が、前記作案手段によって選択された各番組の番組視聴率を加算して算出された前記累積視聴率より高いとき、各番組の少なくともいずれか１つの番組を、その番組の前後の番組と入れ替えることにより、前記引合条件に含まれる累積視聴率と、前記作案手段によって選択された各番組の番組視聴率を加算して算出された前記累積視聴率の差がより小さくなるように番組の選択をやり直す
ことを特徴とする請求項１乃至３のいずれかに記載の自動作案システム。
【請求項５】
前記微調節手段は、前記改案手段によって選択された各番組の少なくともいずれか１つについて、その番組の番組視聴率の代わりに番組開始視聴率を用い、前記累積視聴率を算出することにより、各番組の累積視聴率を、前記引合条件の前記累積視聴率に近づける
ことを特徴とする請求項１乃至４のいずれかに記載の自動作案システム。
【請求項６】
引合条件を入力する入力ステップと、
前記入力ステップにおいて入力された前記引合条件を記憶する第１の記憶ステップと、
タイムテーブルを記憶する第２の記憶ステップと、
前記第１の記憶ステップにおいて記憶されている前記引合条件と、前記第２の記憶ステップにおいて記憶されている前記タイムテーブルに基づいて、作案を行う作案ステップと、
前記作案ステップにおける作案結果を改案する改案ステップと、
前記改案ステップにおける改案結果を微調節する微調節ステップと
を備えることを特徴とする自動作案方法。
【請求項７】
引合条件を入力する入力ステップと、
前記入力ステップにおいて入力された前記引合条件を記憶する第１の記憶ステップと、
タイムテーブルを記憶する第２の記憶ステップと、
前記第１の記憶ステップにおいて記憶されている前記引合条件と、前記第２の記憶ステップにおいて記憶されている前記タイムテーブルに基づいて、作案を行う作案ステップと、
前記作案ステップにおける作案結果を改案する改案ステップと、
前記改案ステップにおける改案結果を微調節する微調節ステップと
をコンピュータに実行させることを特徴とする自動作案プログラム。
【発明の詳細な説明】
【０００１】
【発明の属する技術分野】
本発明は、自動作案システムに関し、特に、引合条件に基づいて、ＣＭを流す位置決めを行う作案作業を自動で行う自動作案システムに関する。
【０００２】
【従来の技術】
従来より、スポット自動作案システムでは、コスト作案時には基準値を用いて、また、掛け率作案時にはセット数を求めて、契約期間内に流すＣＭの本数をランク毎に求める。Ａランクから順に求めた本数分掛け率作案の場合、週和ポイント、コスト作案の場合、基準値を用いてローテーションを行い、放送日および放送時間枠を決定することにより、自動的にＣＭのスポット放送のスケジューリングの作案を自動的に行うものがある（例えば、特許文献１参照）。
【０００３】
【特許文献１】
特開２０００−１２４８６７号公報（図１）
【０００４】
【発明が解決しようとする課題】
しかしながら、従来のスポット自動作案システムでは、スポンサーローテーションを行って、時間取りを行うものであり、１契約（スポンサー）で行うものでには適用できないという問題があった。
【０００５】
本発明はこのような状況に鑑みてなされたものであり、時間取りを短時間で効率よく行うことができるようにするものである。
【０００６】
【課題を解決するための手段】
請求項１に記載の自動作案システムは、引合条件を入力する入力手段と、入力手段によって入力された引合条件を記憶する第１の記憶手段と、タイムテーブルを記憶する第２の記憶手段と、第１の記憶手段によって記憶されている引合条件と、第２の記憶手段によって記憶されているタイムテーブルに基づいて、作案を行う作案手段と、作案手段による作案結果を改案する改案手段と、改案手段による改案結果を微調節する微調節手段とを備えることを特徴とする。
また、引合条件は、累積視聴率と、ランク別本数と、時間取パターンからなり、タイムテーブルは、各番組の開始時刻および終了時刻と、各番組毎の番組開始時の視聴率である番組開始視聴率と、番組視聴率とを含むようにすることができる。
また、作案手段は、曜日毎に、時間取パターンに一致する枠を検索し、ランク別に、平日の第１の本数と、土日の第２の本数をそれぞれ決定し、乱数を用いて平日の番組を第１の本数分だけ選択し、土日の番組を第２の本数分だけ選択するようにすることができる。
また、改案手段は、作案手段によって選択された各番組の番組視聴率を加算して累積視聴率を算出し、引合条件に含まれる累積視聴率を比較し、引合条件に含まれる累積視聴率が、作案手段によって選択された各番組の番組視聴率を加算して算出された累積視聴率より高いとき、各番組の少なくともいずれか１つの番組を、その番組の前後の番組と入れ替えることにより、引合条件に含まれる累積視聴率と、作案手段によって選択された各番組の番組視聴率を加算して算出された累積視聴率の差がより小さくなるように番組の選択をやり直すようにすることができる。
また、微調節手段は、改案手段によって選択された各番組の少なくともいずれか１つについて、その番組の番組視聴率の代わりに番組開始視聴率を用い、累積視聴率を算出することにより、各番組の累積視聴率を、引合条件の累積視聴率に近づけるようにすることができる。
請求項６に記載の自動作案方法は、引合条件を入力する入力ステップと、入力ステップにおいて入力された引合条件を記憶する第１の記憶ステップと、タイムテーブルを記憶する第２の記憶ステップと、第１の記憶ステップにおいて記憶されている引合条件と、第２の記憶ステップにおいて記憶されているタイムテーブルに基づいて、作案を行う作案ステップと、作案ステップにおける作案結果を改案する改案ステップと、改案ステップにおける改案結果を微調節する微調節ステップとを備えることを特徴とする。
請求項７に記載の自動作案プログラムは、引合条件を入力する入力ステップと、入力ステップにおいて入力された引合条件を記憶する第１の記憶ステップと、タイムテーブルを記憶する第２の記憶ステップと、第１の記憶ステップにおいて記憶されている引合条件と、第２の記憶ステップにおいて記憶されているタイムテーブルに基づいて、作案を行う作案ステップと、作案ステップにおける作案結果を改案する改案ステップと、改案ステップにおける改案結果を微調節する微調節ステップとをコンピュータに実行させることを特徴とする。
【０００７】
【発明の実施の形態】
本発明は、民放テレビ局やラジオ局等でＣＭを流す位置決めを行う場合、代理店との引合条件（発注条件）に基づく作案作業（位置決め作業）において時間取りを行う必要があるが、それを支援する機能を提供するものである。
【０００８】
代理店によって引合条件が指定されるが、その引合条件には下記のように様々なものが存在する。
１．ＧＲＰ（Ｇｒｏｓｓ  Ｒａｔｉｎｇ  Ｐｏｉｎｔ：累積視聴率）が指定される場合。
２．パーコストが指定される場合（引合金額／ＧＲＰ＝パーコストなので、１の場合と同等）。
３．ランク別本数が指定される場合（放送時間によってランクを付けられており、Ａ／Ｓ（特Ｂ）／Ｂ／Ｃにランク分けされている）。
４．時間取パターンによる条件（逆Ｌ（タイムテーブルを見て平日夜・土日終日の形から）等）。
５．番組内容における条件（マゲもの（時代劇番組）禁止等）。
これらの条件を機械的に処理し、作案作業を可能にする。
【０００９】
図１に示したように、スポット時間取り表（タイムテーブル）に各番組毎の視聴率が計算されて表示されているので、その視聴率を使って自動作案を行う（各番組内の左上の数字は番組開始時の視聴率（番組開始視聴率）を表し、右下の数字は番組視聴率を表している）。
【００１０】
ＳＢ枠（番組と番組の間のＣＭ枠）は番組開始時の視聴率を使い、ＰＴ枠（番組内のＣＭ枠）は番組視聴率を使う（ＳＢ枠は前後の番組視聴率の和の１／２を使うときもある）。
【００１１】
引合条件は以下のように設定されていると仮定する。
2004193701.tif 000003
【００１２】
次に、図２のフローチャートを参照して、本実施の形態の全体の動作について説明する。まず最初に、ステップＳ１において、上記引合条件を入力する。次に、ステップＳ２において、平日、土曜、日曜に分けて、引合条件に含まれる時間取パターンに合う枠を検索する。
【００１３】
ランクＡに該当する枠は、平日の１９：００〜２３：００、土曜日の１９：００〜２３：００、日曜日の１８：００〜２３：００であるので、すべて逆Ｌ条件に当てはまる。
【００１４】
ランクＳに該当する枠で逆Ｌに該当するものは、平日の１８：００〜１９：００、土曜日の１２：００〜１９：００、２３：００〜２４：００、日曜日の９：００〜１８：００である。
【００１５】
ランクＢに該当する枠で逆Ｌに該当するものは、平日の２３：００〜２４：３０、土曜日の７：００〜１０：００、２４：００〜２５：００、日曜日の７：００〜９：００、２３：００〜２４：００である。
【００１６】
ランクＣに該当する枠で逆Ｌに該当するものは、平日の２４：３０〜と、土曜日の〜７：００、２５：００〜、日曜日の〜７：００、２４：００〜である。
【００１７】
次に、ステップＳ３において、ランク別に平日、土日の本数を決定する。基本的に、ランクＡの視聴率が高いので、ランクＡのものから決定する。また、最初はＰＴ枠のみで作案することにする。これは、ＳＢ枠は枠が小さいこと等が理由である。そして、ステップＳ４において、タイムテーブル上で枠を分散させるために、乱数を用いて番組を決定する。
【００１８】
ランクＡは３本要求されているので、該当する番組の配分を計算する。ランクＡの番組は、平日３０番組と土曜日８番組と日曜日７番組の計４５番組存在する。そこで、まんべんなく時間取りをするために、何番組で１時間取りを行えばよいのかを計算する。４５／３＝１５番組／時間取という計算が成り立つ。平日の番組数は３０であるので、３０／１５＝２となり、平日で２本となる。土日の番組数は１５（＝８＋７）であるので、１５／１５＝１となり、土日で１本となる従って、その条件で分散をさせて取ることになる。
【００１９】
いま、乱数を用いて月曜日の「（公序良俗違反につき不掲載）」と、木曜日の「（公序良俗違反につき不掲載）」と、土曜日の「（公序良俗違反につき不掲載）」が選択されたものとすると、ＧＲＰ＝２６．５％となる。
【００２０】
次に、ランクＳは１０本要求されているので、該当する番組の配分を計算していくと、平日１０番組と土曜日１０番組と日曜日１０番組の計３０番組存在するので、３０／１０＝３番組／時間取で、平日４（１０／３）本、土日３本ずつとなる。ランクＡで月木で作案しているのでその条件も加味すると、火曜日の「（公序良俗違反につき不掲載）」、水曜日の「（公序良俗違反につき不掲載）」、水曜日の「（公序良俗違反につき不掲載）」、金曜日の「（公序良俗違反につき不掲載）」、土曜日は「（公序良俗違反につき不掲載）」、「（公序良俗違反につき不掲載）」、「（公序良俗違反につき不掲載）」、日曜日は「（公序良俗違反につき不掲載）」、「（公序良俗違反につき不掲載）」、「（公序良俗違反につき不掲載）」が選択されたものとすると、ＧＲＰ＝６２．７％となる。
【００２１】
次のランクＢは２本要求されているので、該当する番組の配分を計算していくと、平日２０番組、土曜日７番組、日曜日６番組の計３３番組存在するので、３３／２＝１６．６番組／時間取で、平日１番組、土日で１番組となる。土曜日と日曜日でどちらで取るか決定するときは、現在取られている本数で決めることにすると日曜日に取ることになる。月曜日の「（公序良俗違反につき不掲載）」、日曜日の「（公序良俗違反につき不掲載）」が選択されたとすると、ＧＲＰ＝１５％となる。
【００２２】
ランクＣでも持ち枠が無いもの（時間取りを取るための空枠が無いもの）はカウントしないことにすると、平日は１０番組、土曜日は５番組、日曜日は８番組の計２３番組存在するので、２３／７＝３．３番組／時間取で、平日３番組、土日２番組ずつとなる。
【００２３】
平日は、現在取られている本数で決めることにすると、火木金で取ることになるので、火曜日の「（公序良俗違反につき不掲載）」、木曜日の「（公序良俗違反につき不掲載）」、金曜日の「（公序良俗違反につき不掲載）」で、土曜日は「（公序良俗違反につき不掲載）」、「（公序良俗違反につき不掲載）」、日曜日は「（公序良俗違反につき不掲載）」、「（公序良俗違反につき不掲載）」が選択され、ＧＲＰ＝１９．８％となる。
【００２４】
次に、ステップＳ５において、全てのランクのＧＲＰの合計（合計ＧＲＰ）を演算し、引合条件の累積視聴率（ＧＲＰ）と比較する。比較の結果、合計ＧＲＰと、引合条件のＧＲＰとの差が５．５％より大きいと判定された場合、ステップＳ６に進み、ランクＡから順に改案作業を行い、ステップＳ５に戻り、ステップＳ５以降の処理が繰り返し実行される。一方、合計ＧＲＰと、引合条件のＧＲＰとの差が５．５％未満であると判定された場合、ステップＳ７に進む。
【００２５】
いまの場合、合計ＧＲＰ＝１２４．０（＝２６．５＋６２．７＋１５．０＋１９．８）％となる。この合計ＧＲＰは、引合条件の累積視聴率１５０％に対して２６．０（＝１５０−１２４）％だけ足りないので、ステップＳ５において、合計ＧＲＰと、引合条件のＧＲＰとの差が５．５％より大きいと判定され、ステップＳ６に進み、改案作業が行われる。
【００２６】
基本的に、視聴率が高いのはランクＡなので、ランクＡ，Ｓ，Ｂ，Ｃの順に改案作業が行われる。月曜日の「（公序良俗違反につき不掲載）」の番組視聴率（５．５）よりも番組視聴率の高い前後の番組は「（公序良俗違反につき不掲載）」（１３．１）なので、「（公序良俗違反につき不掲載）」を「（公序良俗違反につき不掲載）」に変えると、合計ＧＲＰと引合条件のＧＲＰの差は１８．４（２６．０−（１３．１−５．５））％になる。
【００２７】
また、木曜日の「（公序良俗違反につき不掲載）」の番組視聴率（１６．０）より番組視聴率の高い前後の番組は存在しないが、その前のＳＢ枠で用いられる番組開始視聴率（１６．９）の方が「いきなり黄金伝説」の番組視聴率より高いので、「（公序良俗違反につき不掲載）」の番組視聴率（１６．０）を番組開始視聴率（１６．９）に変更すると、合計ＧＲＰと引合条件のＧＲＰの差は１７．５（＝１８．４−（１６．９−１６．０））％になる。土曜日の「（公序良俗違反につき不掲載）」より高い前後の番組はその前のＳＢ枠なので、「（公序良俗違反につき不掲載）」の番組視聴率（５．０）を番組開始視聴率（１３．６）に変更すると、合計ＧＲＰと引合条件のＧＲＰの差は８．９（＝１７．５−（１３．６−５．０））％となる。
【００２８】
ランクＳの番組では、火曜日の「（公序良俗違反につき不掲載）」の番組視聴率（５．５）よりも番組視聴率の高い前後の番組は、次の「（公序良俗違反につき不掲載）」（番組視聴率７．０）のＳＢ枠に用いられる番組開始視聴率（９．３）であるので、「（公序良俗違反につき不掲載）」の番組視聴率（５．５）を「（公序良俗違反につき不掲載）」の番組開始視聴率（９．３）に変更すると、合計ＧＲＰと引合条件のＧＲＰの差は５．１（８．９−（９．３−５．５））％となる。
【００２９】
ここで５％に近くなった（５．５％未満となった）ので、ステップＳ５において、合計ＧＲＰと引合条件のＧＲＰの差が５％ほどのずれ（５．５％未満）であると判定され、ステップＳ７に進み、前後の番組を使った微調節が行われる。
【００３０】
残りの番組の前後の番組で近づけるものを探すと、日曜日の「（公序良俗違反につき不掲載）」をその前のＳＢ枠に変更すると、合計ＧＲＰと引合条件のＧＲＰの差は１．８（５．１−（５．８−２．５））％となる。日曜日の「（公序良俗違反につき不掲載）」もその後のＳＢに変更すると、合計ＧＲＰと引合条件のＧＲＰの差は１．０（１．８−（９．８−９．０））％となり、土曜日の１７：２５の「（公序良俗違反につき不掲載）」を前の番組のＳＢ枠に変更すると、合計ＧＲＰと引合条件のＧＲＰの差は０．３（１．０−（２．２−１．５））％となり、金曜日の「（公序良俗違反につき不掲載）」をその前のＳＢ枠に変更すると、合計ＧＲＰと引合条件のＧＲＰの差は０（＝０．３−（２．５−２．２））となり、丁度ＧＲＰ＝１５０％となる。
【００３１】
これを一覧で示すと、
ランクＡ
月  ２１００Ｔ  （公序良俗違反につき不掲載）          １３．１％
木  １９００Ｓ  （公序良俗違反につき不掲載）              １６．９％
土  ２１００Ｓ  （公序良俗違反につき不掲載）                １３．６％
ランクＳ
火  １８１９Ｓ  （公序良俗違反につき不掲載）        ９．３％
水  １７５４Ｔ  （公序良俗違反につき不掲載）        ５．５％
水  １８１９Ｔ  （公序良俗違反につき不掲載）        ５．５％
金  １８１９Ｔ  （公序良俗違反につき不掲載）        ８．５％
土  １２００Ｔ  （公序良俗違反につき不掲載）                    ６．５％
土  １６５５Ｓ  （公序良俗違反につき不掲載）                    ２．２％
土  １８００Ｔ  （公序良俗違反につき不掲載）                      ８．０％
日  １０００Ｓ  （公序良俗違反につき不掲載）            ５．８％
日  １２３０Ｔ  （公序良俗違反につき不掲載）                  １８．２％
日  １６００Ｔ  （公序良俗違反につき不掲載）              １．０％
ランクＢ
月  ２３１５Ｔ  （公序良俗違反につき不掲載）ネプ                      ６．０％
日  ０８３０Ｓ  （公序良俗違反につき不掲載）                ９．８％
ランクＣ
火  ２５１６Ｔ  （公序良俗違反につき不掲載）                    ２．６％
木  ２５１６Ｔ  （公序良俗違反につき不掲載）                    ２．４％
金  ２５１０Ｓ  （公序良俗違反につき不掲載）                ２．５％
土  ０５３０Ｔ  （公序良俗違反につき不掲載）                    １．０％
土  ２５００Ｔ  （公序良俗違反につき不掲載）                ４．４％
日  ０６３０Ｔ  （公序良俗違反につき不掲載）                ４．５％
日  ２５２５Ｔ  （公序良俗違反につき不掲載）                    ２．７％
となり、ランク別本数と合計ＧＲＰが、引合条件で要求されたものとそれぞれ一致する。
【００３２】
図３は、本実施の形態の機能ブロック図である。同図に示すように、本実施の形態は、引合条件を入力する引合条件入力部１と、引合条件入力部１によって入力された引合条件を記憶する引合条件記憶部２と、タイムテーブルを記憶するタイムテーブル記憶部３と、引合条件記憶部２に記憶されている引合条件と、タイムテーブル記憶部３に記憶されているタイムテーブルとに基づいて、自動作案処理を行う作案部４と、作案部４の結果を改案する改案部５と、改案部５の結果に対して微調節を施す微調節部６と、微調節部６によって微調節が施された結果を出力する出力部７等により構成されている。
【００３３】
各ブロックは、コンピュータによって実現することができる。例えば、引合条件入力部１はキーボードやマウス等によって実現され、引合条件記憶部２およびタイムテーブル記憶部３は、ハードディスク等の記憶装置によって実現され、作案部４、改案部５、微調節部６は、それぞれＣＰＵ（ｃｅｎｔｒａｌ  ｐｒｏｃｅｓｓｉｎｇ  ｕｎｉｔ）やメモリ等によって実現される。
【００３４】
引合条件入力部１は、図２のステップＳ１の処理を実行し、作案部４は、図２のステップＳ２乃至Ｓ４の処理を実行し、改案部５は、図２のステップＳ５およびステップＳ６の処理を実行し、微調節部６は、図２のステップＳ７およびステップＳ８の処理を実行するようになっている。
【００３５】
なお、上記実施の形態の構成及び動作は例であって、本発明の趣旨を逸脱しない範囲で適宜変更することができることは言うまでもない。
【００３６】
【発明の効果】
以上の如く、本発明に係る自動作案システムによれば、引合条件を入力し、入力された引合条件を記憶し、タイムテーブルを記憶し、引合条件と、タイムテーブルに基づいて、作案を行い、作案結果を改案し、改案結果を微調節するようにしたので、引合条件に合わせるために何度も作案することがあるが、その手間がかからなくなるため、時間取りにかかる時間を短縮することができる。
【図面の簡単な説明】
【図１】本実施の形態で用いるスポット時間取り表を示す図である。
【図２】本実施の形態の動作を説明するためのフローチャートである。
【図３】本実施の形態の機能ブロック図である。
【符号の説明】
１  引合条件入力部
２  引合条件記憶部
３  タイムテーブル記憶部
４  作案部
５  改案部
６  微調節部
７  出力部
【図１】
2004193701.tif 000004
【図２】
2004193701.tif 000005
【図３】
2004193701.tif 000006